(57)【要約】【課題】使用時に容器を広げた際に高い自立安定性を有する折り畳み式の容器を提供する。【解決手段】容器１Ａは、柔軟な材料から構成され、使用時に矩形状となる下面部２と、下面部２の四辺に接続された四つの側面部３と、を備え、下面部２の四辺には第一の袋部が形成されており、第一の袋部内には錘７が配置されている。側面部３は、当該側面部３を構成する柔軟な材料を周方向に部分的に重ね合わせて縦方向に縫合することにより形成された三つの第一の重複部３１と、材料の周方向端部同士を重ね合わせて縦方向に縫合することにより形成された一つの第二の重複部３２とを備え、三つの第一の重複部３１および一つの第二の重複部３２はそれぞれ下面部２の四つの角部近傍に配置されると共に、それぞれ使用時における容器１Ａの四つの縦方向稜線部４を構成している。【選択図】図１
2019026266.tif 000002
【特許請求の範囲】
【請求項１】
非使用時には折り畳みが可能で、使用時には広げられて上方が開口した四角柱状になると共に自立可能となる容器であって、
柔軟な材料から構成され、使用時に矩形状となる下面部と、
前記下面部の四辺に接続された四つの側面部と、を備え、
前記下面部の四辺には第一の袋部が形成されており、前記第一の袋部内には錘が配置されており、
前記側面部は、当該側面部を構成する柔軟な材料を周方向に部分的に重ね合わせて縦方向に縫合することにより形成された三つの第一の重複部と、前記材料の周方向端部同士を重ね合わせて縦方向に縫合することにより形成された一つの第二の重複部とを備え、三つの前記第一の重複部および一つの前記第二の重複部はそれぞれ前記下面部の四つの角部近傍に配置されると共に、使用時における前記容器の四つの縦方向稜線部を構成し、
非使用時には、対向する二つの前記側面部の周方向略中央および当該二つの側面部に接続された前記下面部の二辺の略中央が内方に屈曲することにより折り畳まれる、
ことを特徴とする容器。
【請求項２】
前記側面部の上部には、少なくとも二つの開口部を有した第二の袋部が設けられており、前記第二の袋部内には紐が挿通されると共に前記紐は前記少なくとも二つの開口部から前記第二の袋部外へ延出している、
請求項１に記載の容器。
【請求項３】
非使用時に折り畳まれることになる二つの前記側面部の周方向中央近傍には、縦方向に延びる補強部材が取り付けられている、
請求項１または２に記載の容器。
【請求項４】
前記補強部材は、長尺な中空内部を有する平板状の第一部材と、前記中空内部に挿入された棒状または筒状の第二部材と、を備える、
請求項３に記載の容器。
【発明の詳細な説明】
【技術分野】
【０００１】
本発明は容器に関する。詳細には、本発明は、非使用時には折り畳み可能で、使用時には広げられて自立可能となる容器に関する。
【背景技術】
【０００２】
ゴミなどを収容する容器として、非使用時には折り畳み可能であり、一方、使用時には広げられて自立可能となる容器が知られている。このような容器は例えば特許文献１に開示されている。
【０００３】
特許文献１は、柔軟な素材で構成されている矩形状の下面部２と側面部３とを備える折り畳み容器を開示している。この折り畳み容器は、側面部３の各々の上辺に沿って上辺支持部材５が配置されており、側面と側面との境界に沿って側辺支持部材６が配置されており、下面部２の四辺のうち互いに対して並行となるいずれか二つの辺に下辺支持部材７が配置されている。
【先行技術文献】
【特許文献】
【０００４】
【特許文献１】特開２０１６−１５０７４７号公報
【発明の概要】
【発明が解決しようとする課題】
【０００５】
ところで、このような折り畳み式の容器では、容器を広げた際に、側面部が安定して自立することが求められている。
【０００６】
本発明は、使用時に容器を広げた際に高い自立安定性を有する折り畳み式の容器を提供することを目的とする。
【課題を解決するための手段】
【０００７】
本発明は、非使用時には折り畳みが可能で、使用時には広げられて上方が開口した四角柱状になると共に自立可能となる容器であって、
柔軟な材料から構成され、使用時に矩形状となる下面部と、
前記下面部の四辺に接続された四つの側面部と、を備え、
前記下面部の四辺には第一の袋部が形成されており、前記第一の袋部内には錘が配置されており、
前記側面部は、当該側面部を構成する柔軟な材料を周方向に部分的に重ね合わせて縦方向に縫合することにより形成された三つの第一の重複部と、前記材料の周方向端部同士を重ね合わせて縦方向に縫合することにより形成された一つの第二の重複部とを備え、三つの前記第一の重複部および一つの前記第二の重複部はそれぞれ前記下面部の四つの角部近傍に配置されると共に、使用時における前記容器の四つの縦方向稜線部を構成し、
非使用時には、対向する二つの前記側面部の周方向略中央および当該二つの側面部に接続された前記下面部の二辺の略中央が内方に屈曲することにより折り畳まれる、
ことを特徴とする。
【０００８】
本発明の容器において、前記側面部の上部には、少なくとも二つの開口部を有した第二の袋部が設けられており、前記第二の袋部内には紐が挿通されると共に前記紐は前記少なくとも二つの開口部から前記第二の袋部外へ延出していることが好ましい。
【０００９】
本発明の容器において、非使用時に折り畳まれることになる二つの前記側面部の周方向中央近傍には、縦方向に延びる補強部材が取り付けられていることが好ましい。
【００１０】
本発明の容器において、前記補強部材は、長尺な中空内部を有する平板状の第一部材と、前記中空内部に挿入された棒状または筒状の第二部材と、を備えることが好ましい。
【発明の効果】
【００１１】
本発明の容器では、側面部には第一の重複部と第二の重複部とが形成され、それら第一の重複部および第二の重複部は容器の縦方向稜線部を形成している。第一の重複部および第二の重複部は、側面部を構成する材料を重ね合せて縫合した部分であるため、剛性が向上している。これにより、容器を広げた際に側面部が折れ曲がり難くなり、容器が安定して自立するようになる。また、容器の下部に錘が取り付けられていることにより、容器を広げた際の安定性を向上させることができる。
【図面の簡単な説明】
【００１２】
【図１】（ａ）は第一実施形態の容器の使用時（広げられた状態）の斜視図であり、（ｂ）は第一実施形態の容器の非使用時（折り畳まれた状態）の斜視図である。
【図２】（ａ）は図１（ａ）のＩＩａ−ＩＩａ線断面図、（ｂ）は図１（ａ）のＩＩｂ−ＩＩｂ線断面図、（ｃ）は図１（ａ）のＩＩｃ−ＩＩｃ線断面図である。
【図３】（ａ）は第二実施形態の容器の使用時（広げられた状態）の斜視図であり、（ｂ）は第二実施形態の容器の非使用時（折り畳まれた状態）の斜視図である。
【図４】（ａ）は図３（ａ）のＩＶａ−ＩＶａ線断面図、（ｂ）は図３（ａ）のＩＶｂ−ＩＶｂ線断面図、（ｃ）は図３（ａ）のＩＶｃ−ＩＶｃ線断面図である。
【図５】（ａ）は補強部材の平面図、（ｂ）は補強部材の正面図である。
【発明を実施するための形態】
【００１３】
本発明について図面を参照しながら説明する。なお、以下で説明する実施形態は、いずれも本発明の好ましい一具体例を示すものである。本発明は、以下の実施形態に限定されず、その趣旨を逸脱しない範囲で適宜変更可能である。
【００１４】
＜第一実施形態＞
本発明の容器の第一実施形態である容器１Ａについて説明する。図１（ａ）は容器１Ａの使用時における斜視図である。図１（ｂ）は容器１Ａの非使用時における斜視図である。なお、説明の便宜上、図１（ａ）および（ｂ）の上および下を、容器１Ａの上および下とそれぞれ表記する。
【００１５】
図１（ａ）に示すように、容器１Ａは、矩形状の下面部２と、下面部２の四辺からそれぞれ立設する四つの側面部３（３ａ〜３ｄ）と、下面部２の四つの角部から上方に延びる四つの縦方向稜線部４とを備える。容器１Ａは、下面部２および側面部３によって画定される収容空間５を有している。容器１Ａは、使用時には広げられ、上方が開口した四角柱状になると共に自立する。下面部２および側面部３は好ましくは正方形または長方形である。したがって、容器１Ａは好ましくは立方体状または直方体状である。使用時の容器１Ａの大きさは一例として、下面部２が３５０ｍｍ×３５０ｍｍであり、高さ（縦方向稜線部４の長さ）が７００ｍｍである。容器１Ａの収容空間５内には、例えばゴミなどが収容される。
【００１６】
図１（ｂ）に示すように、容器１Ａは、非使用時には、四つの側面部３のうち対向する二つの側面部３ａ、３ｃの周方向略中央、および、二つの側面部３ａ、３ｃが接続された下面部２の二辺の略中央が内方に屈曲することにより、折り畳まれる。
【００１７】
下面部２および側面部３は、折り畳み可能で且つ柔軟性を有する同一のネット状材料から構成されている。ネット状材料は繊維を縦横に編んで形成されている。ネット状材料を構成する繊維の太さは、８００〜１０００デシテックスであることが好ましく、８９０デシテックスであることがより好ましい。縦方向の繊維は、複数本の繊維を編んで構成することにより、横方向の繊維よりも剛性を高くすることが好ましい。また、繊維の種類は、強度や環境保護の観点から、例えばＰＥＴ再生繊維を使用することが好ましい。
【００１８】
図２（ａ）から（ｃ）はそれぞれ図１（ａ）のＩＩａ−ＩＩａ線断面図、ＩＩｂ−ＩＩｂ線断面図、ＩＩｃ−ＩＩｃ線断面図である。
【００１９】
側面部３は一枚のネット状材料から構成されている。図１（ａ）に示すように、側面部３は、三つの第一の重複部３１と一つの第二の重複部３２とを有している。図１（ａ）および図２（ａ）に示すように、第一の重複部３１は、側面部３を構成するネット状材料を周方向に部分的に重ね合わせ、その重ね合せた部分の基端部を縦方向に縫合（縫合線Ｓ１）することによって形成されている。図１（ａ）および図２（ｂ）に示すように、第二の重複部３２は、側面部３を構成するネット状材料の一方の周方向端部を折り曲げて他方の周方向端部を挟み込み、縦方向に縫合（縫合線Ｓ２）することによって形成されている。これら三つの第一の重複部３１および一つの第二の重複部３２は、四角柱状の容器１Ａの四つの縦方向稜線部４をそれぞれ形成している。
【００２０】
図１（ａ）および図２（ｃ）に示すように、側面部３の下部と下面部２とは、三つの第一の重複部３１および一つの第二の重複部３２を下面部２の四つの角部近傍にそれぞれ配置した後、側面部３の下部と下面部２の四辺とを重ね合わせて周方向に縫合（縫合線Ｓ３）することにより接続されている。三つの第一の重複部３１の下部および一つの第二の重複部３２の下部は側面部３と接するように折り畳まれて、側面部３および下面部２と縫合されている。
【００２１】
側面部３の下部と下面部２の四辺との縫合箇所は、周方向全周にわたってカバー部材６で覆われており、このカバー部材６は、側面部３の下部および下面部２と縫合（縫合線Ｓ４）されている。カバー部材６によって下面部２の四辺には袋部６１が形成される。袋部６１内には、錘７が周方向全周にわたって内包されている。カバー部材６の材質は特に限定されないが、例えば、化学繊維製の布などを使用することができる。錘７は、例えば鉛等の金属を内包した柔軟で且つ折り曲げ可能な紐などを利用することができ、具体的には沈子コードを利用することができる。
【００２２】
図１（ａ）および図２（ｃ）に示すように、側面部３の上部には、周方向全周にわたって袋部８が形成されている。袋部８には、二つの開口部８１、８２が形成されている。袋部８は、側面部３の上部を内側（収容空間５側）へ折り返すと共に、その折り返した部分と側面部３とを周方向に縫合（縫合線Ｓ５）することにより形成されている。袋部８内には、紐９が挿通され、紐９は開口部８１、８２から袋部８外へそれぞれ延出している。
【００２３】
以下に、容器１Ａの効果について説明する。
【００２４】
容器１Ａでは、側面部３には第一の重複部３１と第二の重複部３２とが形成され、それら第一の重複部３１および第二の重複部３２は容器１Ａの縦方向稜線部４を形成している。第一の重複部３１および第二の重複部３２は、側面部３を構成するネット状材料を重ね合せて縫合した部分であるため、剛性が向上している。これにより、容器１Ａを広げた際に側面部３が折れ曲がり難くなり、容器１Ａが安定して自立するようになる。
【００２５】
側面部３に、繊維の太さが８００〜１０００デシテックスであるネット状材料を用いることにより、側面部３の剛性が高くなる。その結果、容器１Ａを広げた際に側面部３が折れ曲がり難くなり、容器１Ａが安定して自立するようになる。
【００２６】
容器１Ａの下部に錘７が取り付けられていることにより、容器を広げた自立させた際の安定性を向上させることができる。
【００２７】
容器１Ａの上部の紐９を引っ張ると容器１Ａの上部が縮径して開口が閉じられる。これにより、容器１Ａ内に収容されたゴミなどが容器１Ａ外へ飛び出てしまうことを防止することができる。
【００２８】
＜第二実施形態＞
本発明の容器の第二実施形態である容器１Ｂについて説明する。第一実施形態で既に説明した部材は同一の符号を付すことにより、第一実施形態と重複する説明を省略する。
【００２９】
図３（ａ）および（ｂ）はそれぞれ容器１Ｂの使用時における斜視図および非使用時における斜視図である。図４（ａ）から（ｃ）はそれぞれ図３（ａ）のＩＶａ−ＩＶａ線断面図、ＩＶｂ−ＩＶｂ線断面図、ＩＶｃ−ＩＶｃ線断面図である。容器１Ｂの大きさは、一例として、下面部２が４５０ｍｍ×４５０ｍｍであり、高さが９００ｍｍである。
【００３０】
図４（ａ）に示すように、容器１Ｂの袋部８は、第一実施形態のように側面部３の上部を内側に折り曲げて縫合することにより形成されるのではなく、帯状部材１０を側面部３の上部に縫合（縫合線Ｓ６）することにより形成される。具体的には、帯状部材１０を折り曲げて側面部３の上端を覆うように側面部３に被せる。このとき、側面部３の上端と帯状部材１０との間に、紐９を挿通できる程度の隙間をあけて帯状部材１０を被せる。その後、帯状部材１０のうち側面部３の内側および外側に配置された部分と、側面部３とを縫合する。こうして、帯状部材１０によって袋部８が側面部３の上部に形成される。帯状部材１０の材質は特に限定されず、例えば、側面部３と同一材料から構成することができる。
【００３１】
また、図３（ａ）および（ｂ）に示すように、容器１Ｂは、屈曲される二つの側面部３ａ、３ｃの外側の周方向略中央近傍に、縦方向に延びる長尺な補強部材１１を備えている。補強部材１１の上端位置は側面部３ａ、３ｃの上端位置と略同じであり、補強部材１１の下端位置は側面部３の下端位置と略同じである。
【００３２】
図５（ａ）および（ｂ）を参照して、補強部材１１の詳細な構造を説明する。図５（ａ）および（ｂ）はそれぞれ補強部材１１の平面図および正面図である。補強部材１１は、長尺な中空内部を有する平板状の第一部材１１１と、中空内部に挿入された棒状または筒状の第二部材１１２とから構成されている。本実施形態では、第二部材１１２は、丸棒部材から成る。
【００３３】
第一部材１１１は、所定間隔あけて配置された二枚の長尺な平板１１１ａと、二枚の平板１１１ａの間に配置され、二枚の平板１１１ａを接続する複数の隔壁部１１１ｂとを備える。複数の隔壁部１１１ｂは、平板１１１ａの短手方向に所定間隔あけて配置されており、各隔壁部１１１ｂは平板１１１ａの長手方向略全長にわたって延びている。平板１１１ａおよび隔壁部１１１ｂは一体形成されており、例えばプラスチック材料から成る。二枚の平板１１１ａおよび二枚の隔壁部１１１ｂによって画定される空間が中空内部となる。
【００３４】
第二部材１１２は例えばプラスチック材料から成り、第一部材１１１の長手方向略全長にわたって延びている。なお、第二部材１１２は丸棒部材に限定されず、例えば、円筒部材、角柱部材、角筒部材などであってもよい。
【００３５】
図４（ｂ）および（ｃ）に示すように、補強部材１１の内側および外側にはそれぞれカバー部材１２（内側カバー部材１２ａ、外側カバー部材１２ｂ）が配置されており、補強部材１１はその内側および外側をカバー部材１２によって覆われている。
【００３６】
図４（ｂ）に示すように、カバー部材１２の幅は補強部材１１の短手方向長さよりも長くなっており、カバー部材１２の幅方向両端部は補強部材１１の短手方向両端部からそれぞれはみ出ている。カバー部材１２の幅方向両端部のそのはみ出た部分が側面部３ａ、３ｃと縫合（縫合線Ｓ７）される。カバー部材１２の材質は特に限定されないが、例えば、化学繊維製の布を使用することができる。
【００３７】
図４（ｃ）に示すように、カバー部材１２の長さは補強部材１１の長手方向長さと略同じである。カバー部材１２の上端位置は補強部材１１の上端位置と略同じであり、カバー部材１２の下端位置は補強部材１１の下端位置と略同じである。補強部材１１の下部およびカバー部材１２の下部は、側面部３ａ、３ｃの下部および下面部２と縫合（縫合線Ｓ３）されている。これにより、補強部材１１の下部およびカバー部材１２の下部は、側面部３ａ、３ｃの下部および下面部２に固定される。補強部材１１の下部およびカバー部材１２の下部は、カバー部材６によって覆われ、カバー部材６とも縫合（縫合線Ｓ４）される。
【００３８】
帯状部材１０は、補強部材１１およびカバー部材１２が取り付けられている箇所では、外側カバー部材１２ｂの外面に配置される。そして、帯状部材１０と共に、補強部材１１およびカバー部材１２は側面部３ａ、３ｃに縫合（縫合線Ｓ６）される。これにより、補強部材１１の上部およびカバー部材１２の上部は、側面部３ａ、３ｃの上部に固定される。
【００３９】
容器１Ｂの効果について説明する。容器１Ｂの側面部３ａ、３ｃに補強部材１１が取り付けられていることにより、容器１Ｂを広げた際に側面部３ａ、３ｃが折れ曲がり難くなり、容器１Ｂが安定して自立するようになる。また、補強部材１１は側面部３ａ、３ｃと縫合されているため、容器１Ｂの使用時に補強部材１１が側面部３ａ、３ｃに対して移動することがなく、容器１Ｂが安定して自立するようになる。
【符号の説明】
【００４０】
１Ａ、１Ｂ        容器
２                下面部
３（３ａ〜３ｄ）  側面部
３１              第一の重複部
３２              第二の重複部
４                縦方向稜線部
６                カバー部材
６１              袋部（第一の袋部）
７                錘
８                袋部（第二の袋部）
８１              開口部
８２              開口部
９                紐
１１              補強部材
１１１            第一部材
１１２            第二部材
【図１】
2019026266.tif 000003
【図２】
2019026266.tif 000004
【図３】
2019026266.tif 000005
【図４】
2019026266.tif 000006
【図５】
2019026266.tif 000007